(57)【要約】【課題】粒子汚れ、染み汚れ、及び人体由来の汚れに対して優れた洗浄力を有し、更に、洗浄時間が短くても十分な洗浄力が発現する衣料用液体洗浄剤組成物を提供する。【解決手段】（ａ）アルキルベンゼンスルホン酸又はその塩、（ｂ）一般式（１）で表される陰イオン界面活性剤、（ｃ）炭素数１０〜１４の炭化水素基を有する特定の第４級アンモニウム塩、（ｄ）炭素数８以上、１８以下の炭化水素基を有する特定の非イオン界面活性剤、及び水を含有し、（ａ）成分の含有量と（ｂ）成分の含有量と（ｃ）成分の含有量の合計量が１５質量％以上、７０質量％、（ｃ）／〔（ａ）＋（ｂ）〕質量比が０．０２〜０．２、（ｂ）／（ａ）質量比が０．１５〜１０である、衣料用液体洗浄剤組成物。      ＲＯ−〔（ＡＯ）p／（ＥＯ）q〕−ＳＯ3Ｍ          （１）〔式中、Ｒは炭素数８〜２２の炭化水素基、ＡＯは炭素数３〜４のアルキレンオキシ基、ＥＯはエチレンオキシ基、ｐは０．５〜５、ｑは０〜１０の平均付加モル数、Ｍは陽イオンであり、“／”はＡＯ基及びＥＯ基がランダム又はブロックのいずれに結合したものであってもよいことを示す。〕【選択図】なし【特許請求の範囲】
【請求項１】
下記（ａ）成分、（ｂ）成分、（ｃ）成分、（ｄ）成分及び水を含有し、
（ａ）成分の含有量と（ｂ）成分の含有量と（ｃ）成分の含有量の合計量が１５質量％以上、７０質量％以下であり、
（ｃ）成分の含有量と、（ａ）成分の含有量と（ｂ）成分の含有量の合計量との質量比が、（ｃ）成分／〔（ａ）成分＋（ｂ）成分〕で、０．０２以上、０．２以下であり、
（ｂ）成分の含有量と（ａ）成分の含有量との質量比が、（ｂ）成分／（ａ）成分で、０．１５以上、１０以下である、
衣料用液体洗浄剤組成物。
（ａ）成分：アルキルベンゼンスルホン酸又はその塩
（ｂ）成分：下記一般式（１）で表される陰イオン界面活性剤
ＲＯ−〔（ＡＯ）p／（ＥＯ）q〕−ＳＯ3Ｍ          （１）
〔式中、Ｒは炭素数８以上、２２以下の炭化水素基を示し、ＡＯは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。“／”はＡＯ基及びＥＯ基がランダム又はブロックのいずれに結合したものであってもよいことを示す。Ｍは陽イオンである。〕
（ｃ）成分：下記一般式（２）で表される第４級アンモニウム塩
【化１】
2014141661.tif 000005
〔式中、Ｒ1は炭素数１０以上、１４以下の炭化水素基であり、Ｒ2は炭素数７以上、１４以下の炭化水素基、炭素数１以上、３以下の炭化水素基、及び−（Ａ1Ｏ）s−Ｈ（式中、Ａ1Ｏは、炭素数２のアルキレンオキシ基及び炭素数３のアルキレンオキシ基から選ばれるアルキレンオキシ基、ｓは１以上、５以下の数である。）から選ばれる基であり、Ｒ3、Ｒ4は、それぞれ独立に、炭素数１以上、３以下の炭化水素基及び−（Ａ1Ｏ）s−Ｈ（式中、Ａ1Ｏ、ｓは前記と同じ。）から選ばれる基である。分子内に複数存在する（Ａ1Ｏ）は同一又は異なっていても良い。Ｘ-はハロゲンイオン、ＣＨ3ＳＯ4-又はＣＨ3ＣＨ2ＳＯ4-である。〕
（ｄ）成分：下記一般式（３）で表される非イオン界面活性剤
Ｒ5Ｏ−（ＥＯ）t−Ｈ        （３）
〔式中、Ｒ5は炭素数８以上、１８以下の炭化水素基を示し、ＥＯはエキレンオキシ基を示し、ｔは平均付加モル数を示し、１以上、１０以下の数である。〕
【請求項２】
（ｄ）成分の含有量と、（ａ）成分の含有量と（ｂ）成分の含有量の合計量との質量比が、（ｄ）成分／〔（ａ）成分＋（ｂ）成分〕で、０．１以上、２以下である、請求項１に記載の衣料用液体洗浄剤組成物。
【請求項３】
洗浄時間が１分以上、７分以下の洗浄方法に用いられる、請求項１又は２に記載の衣料用液体洗浄剤組成物。
【請求項４】
水と、請求項１〜３の何れかに記載の衣料用液体洗浄剤組成物０．０１質量％以上、０．２質量％以下とを含有する、温度が０℃以上、３５℃以下の洗浄液で、前記洗浄液の量（リットル）と衣料の質量（ｋｇ）との比で表される浴比が、洗浄液の量（リットル）／衣料の質量（ｋｇ）＝３以上、５０以下の条件で、衣料を１分間以上、７分間以下洗浄する、衣料の洗浄方法。
【請求項５】
衣料の洗浄を、回転式洗濯機を用いて行う、請求項４に記載の衣料の洗浄方法。
【発明の詳細な説明】
【技術分野】
【０００１】
本発明は、衣料用液体洗浄剤組成物に関する。
【背景技術】
【０００２】
衣料には、泥汚れなどの粒子汚れ、食べこぼしなどの染み汚れ、皮脂汚れなど、さまざまな汚れが付着するため、衣料用洗剤にはこれらすべての汚れに対して高い洗浄力が求められる。これらの中でも泥汚れなどの粒子汚れは分散ポリマーや陰イオン界面活性剤が効果的であり、食べこぼしなどの染み汚れは漂白剤や陰イオン界面活性剤が有効であり、皮脂汚れなどは非イオン界面活性剤を用いると有効であることが一般的に知られている。そのため、通常、衣料用の洗浄剤組成物には、複数の界面活性剤を組み合わせて用いることが行われる。
【０００３】
界面活性剤を組み合わせた洗浄剤組成物として、特許文献１にはポリオキシエチレンアルキルエーテル硫酸エステル塩型界面活性剤、及び陽イオン界面活性剤を含有する洗浄剤組成物が開示されている。また、特許文献２には、（ａ）アルキレンオキシドの平均付加モル数が１６〜３５である非イオン界面活性剤、（ｂ）炭素数３及び／又は４のアルキレンオキシ基を有する陰イオン界面活性剤、並びに（ｃ）特定の溶剤を含有し、界面活性剤の濃度が高い液体洗浄剤組成物が開示されている。また、特許文献３には、非イオン界面活性剤、陰イオン界面活性剤、陽イオン界面活性剤を所定条件で含有する液体洗浄剤組成物が開示されている。特許文献４には、非イオン界面活性剤、陰イオン界面活性剤、陽イオン界面活性剤を所定条件で含有する塗布用洗浄剤組成物が開示されている。
【０００４】
一方、全自動洗濯機においては、標準コース以外にも、洗濯時間を短くできる洗濯コース（スピードコースと呼ばれることもある）が備えられている機種が存在する。洗濯時間を短くするコースにおいては、すすぎ回数を少なくしたり、洗浄剤組成物で衣料を洗浄する時間を短くすることが行われている。
【先行技術文献】
【特許文献】
【０００５】
【特許文献１】特開昭５６−５８９５号公報
【特許文献２】特開２０１１−２０８１３０号公報
【特許文献３】特開２０１２−８７２２８号公報
【特許文献４】特開２０１２−８７２２７号公報
【発明の概要】
【発明が解決しようとする課題】
【０００６】
衣料に付着する泥汚れなどの粒子汚れ、食べこぼしなどの染み汚れ、皮脂汚れについて、すべて満足できるレベルまで洗浄するためには、非イオン界面活性剤と陰イオン界面活性剤を併用するなど、複数の界面活性剤を組み合わせれば達成できるように予想できるが、現実には、非イオン界面活性剤と陰イオン界面活性剤の両者の特徴が期待されるほどには発揮されず、前記３種の汚れに対する洗浄力をより向上させるためには、更なる検討が必要とされている。従って、上述の３種の汚れに対して優れた洗浄力を有する衣料用洗浄剤組成物が強く求められている。
【０００７】
また、全自動洗濯機において洗濯時間を短くするコースを選択した場合、すすぎの回数の低減や、洗浄時間の短縮等の動作が行われる。作業者は、洗浄時間が短くても、通常の洗濯コースと同じ汚れ落ちを期待する。しかしながら、洗浄時間が短くなると洗浄性能が低下すること傾向にあることが見出された。これに対して、洗浄力を向上させることを期待して洗浄基材である界面活性剤の含有量を増加させた液体洗浄剤組成物を用いても、経済性に見合う十分な効果は得られない。
【０００８】
本発明は、食べこぼしなどの染み汚れに対して優れた洗浄力を有する衣料用液体洗浄剤組成物を提供する。また、本発明は、泥汚れなどの粒子汚れに対して優れた洗浄力を有する衣料用液体洗浄剤組成物を提供する。また、本発明は、人体由来の汚れに対して優れた洗浄力を有する衣料用液体洗浄剤組成物を提供する。
本発明は、粒子汚れ、染み汚れ、及び人体由来の汚れの何れの汚れに対しても優れた洗浄力を有する衣料用液体洗浄剤組成物を提供する。
更に、本発明は、洗浄時間が短くても十分な洗浄力、特に皮脂汚れに対する洗浄力が発現する衣料用液体洗浄剤組成物を提供する。
【課題を解決するための手段】
【０００９】
本発明は、
下記（ａ）成分、（ｂ）成分、（ｃ）成分、（ｄ）成分及び水を含有し、
（ａ）成分の含有量と（ｂ）成分の含有量と（ｃ）成分の含有量の合計量が１５質量％以上、７０質量％以下であり、
（ｃ）成分の含有量と、（ａ）成分の含有量と（ｂ）成分の含有量の合計量との質量比が、（ｃ）成分／〔（ａ）成分＋（ｂ）成分〕で、０．０２以上、０．２以下であり、
（ｂ）成分の含有量と（ａ）成分の含有量との質量比が、（ｂ）成分／（ａ）成分で、０．１５以上、１０以下である、
衣料用液体洗浄剤組成物に関する。
（ａ）成分：アルキルベンゼンスルホン酸又はその塩
（ｂ）成分：下記一般式（１）で表される陰イオン界面活性剤
ＲＯ−〔（ＡＯ）p／（ＥＯ）q〕−ＳＯ3Ｍ          （１）
〔式中、Ｒは炭素数８以上、２２以下の炭化水素基を示し、ＡＯは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。“／”はＡＯ基及びＥＯ基がランダム又はブロックのいずれに結合したものであってもよいことを示す。Ｍは陽イオンである。〕
（ｃ）成分：下記一般式（２）で表される第４級アンモニウム塩
【００１０】
【化１】
2014141661.tif 000002
【００１１】
〔式中、Ｒ1は炭素数１０以上、１４以下の炭化水素基であり、Ｒ2は炭素数７以上、１４以下の炭化水素基、炭素数１以上、３以下の炭化水素基、及び−（Ａ1Ｏ）s−Ｈ（式中、Ａ1Ｏは、炭素数２のアルキレンオキシ基及び炭素数３のアルキレンオキシ基から選ばれるアルキレンオキシ基、ｓは１以上、５以下の数である。）から選ばれる基であり、Ｒ3、Ｒ4は、それぞれ独立に、炭素数１以上、３以下の炭化水素基及び−（Ａ1Ｏ）s−Ｈ（式中、Ａ1Ｏ、ｓは前記と同じ。）から選ばれる基である。分子内に複数存在する（Ａ1Ｏ）は同一又は異なっていても良い。Ｘ-はハロゲンイオン、ＣＨ3ＳＯ4-又はＣＨ3ＣＨ2ＳＯ4-である。〕
（ｄ）成分：下記一般式（３）で表される非イオン界面活性剤
Ｒ5Ｏ−（ＥＯ）t−Ｈ        （３）
〔式中、Ｒ5は炭素数８以上、１８以下の炭化水素基を示し、ＥＯはエキレンオキシ基を示し、ｔは平均付加モル数を示し、１以上、１０以下の数である。〕
【００１２】
また、本発明は、水と、上記本発明の衣料用液体洗浄剤組成物０．０１質量％以上、０．２質量％以下とを含有する、温度が０℃以上、３５℃以下の洗浄液で、衣料の質量と前記洗浄液の量（リットル）の比で表される浴比が、洗浄液の量（リットル）／衣料の質量（ｋｇ）＝３以上、５０以下の条件で、衣料を１分間以上、７分間以下洗浄する、衣料の洗浄方法に関する。
【発明の効果】
【００１３】
本発明によれば、粒子汚れ、染み汚れ、及び人体由来の汚れの何れの汚れに対しても優れた洗浄力を有する衣料用液体洗浄剤組成物が提供される。また、本発明によれば、洗浄時間が短くても十分な洗浄力が発現する衣料用液体洗浄剤組成物が提供される。本発明の衣料用液体洗浄剤組成物では、洗浄時間が十分な標準コースと同等の洗浄力が、洗浄時間を短くした場合でも達成できる。そのため、洗浄時間を短縮することが可能である。また、洗浄時間が短くても粒子汚れ、染み汚れ、及び人体由来の汚れに対する洗浄性能が維持でき、とりわけ落ちにくい食べ残し汚れの洗浄性能に優れる。
本発明では、（ａ）成分及び（ｂ）成分の特定２種の陰イオン界面活性剤を使用することで、陰イオン界面活性剤の含有量に対する、（ｃ）成分である特定の第４級アンモニウム塩の含有量が少なくても、食べこぼし汚れに対する浸透性が高まり、食べこぼし汚れの洗浄性が優れる。また、泥汚れや食べこぼし汚れの洗浄性も高めることが出来る。
【発明を実施するための形態】
【００１４】
＜（ａ）成分＞
（ａ）成分としては、特に限定されるものではないが、例えば炭素数８以上、更に１０以上、そして、２０以下、更に１５以下のアルキル基、更に直鎖アルキル基を有するアルキルベンゼンスルホン酸又はその塩が挙げられる。
【００１５】
アルキルベンゼンスルホン酸塩は、ナトリウム、カリウムなどのアルカリ金属塩、アルカノールアミン塩、又はマグネシウム、カルシウムなどのアルカリ土類金属塩などを挙げることができるが、洗浄性や組成物の保存安定性の観点から、アルカリ金属塩、又はアルカノールアミン塩であることが好ましい。本発明の組成物を調製する場合、アルキルベンゼンスルホン酸（酸型）を組成物中に添加し、系内でアルカリと中和反応させアルキルベンゼンスルホン酸塩としてもよいし、予め中和した後、組成物中に添加してもよい。アルキルベンゼンスルホン酸の中和には、水酸化ナトリウム、水酸化カリウム、水酸化リチウム、水酸化アンモニウムなどの強塩基を用いることができる。
【００１６】
＜（ｂ）成分＞
（ｂ）成分は、（ａ）成分と特定の比率で配合し、且つ（ｃ）成分と併用することで、（ｂ）成分を含む液体洗浄剤組成物と水とを含有する組成物と衣料の接触時間が短時間でも、各種汚れに対する洗浄力をより高めることが出来る。とりわけ、（ｂ）成分と（ａ）成分を特定比率で配合することで、食べこぼし汚れに対する（ｃ）成分の浸透性が高まり、食べこぼし汚れの洗浄性が高まる。
【００１７】
本発明で用いられる（ｂ）成分の陰イオン界面活性剤は、下記一般式（１）で表される化合物である。
ＲＯ−〔（ＡＯ）p／（ＥＯ）q〕−ＳＯ3Ｍ          （１）
〔式中、Ｒは炭素数８以上、２２以下の炭化水素基を示し、ＡＯは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。“／”はＡＯ基及びＥＯ基がランダム又はブロックのいずれに結合したものであってもよいことを示す。Ｍは陽イオンである。〕
【００１８】
（ｂ）成分の一般式（１）中、Ｒは炭素数８以上、２２以下の炭化水素基である。Ｒは、皮脂汚れの洗浄性の点で炭素数８以上であり、１０以上、更に１２以上が好ましく、そして、染み汚れの洗浄性の点で１６以下、更に１４以下が好ましい。Ｒの炭化水素基としては、原料の入手性の点から、アルキル基、アルケニル基が好ましく、アルキル基がより好ましい。Ｒは、泥汚れなどの粒子汚れの洗浄性の点から、直鎖の炭化水素基が好ましい。Ｒは、炭素数１２以上、１４以下のアルキル基、直鎖アルキル基が好ましい。一般式（２）において酸素原子に結合するＲの炭素原子は第１級の炭素原子が好ましい。
【００１９】
一般式（１）中のＡＯである炭素数３のアルキレンオキシ基及び炭素数４のアルキレンオキシ基から選ばれるアルキレンオキシ基としては、オキシトリメチレン基、オキシプロパン−１，２−ジイル基、オキシブタン−１，２−ジイル基、オキシブタン−１，３−ジイル基、オキシブタン−２，３−ジイル基、オキシテトラメチレン基から選ばれる１種以上の基が挙げられる。入手性の点から、オキシプロパン−１，２−ジイル基〔一般的にプロピレンオキシ基と呼ばれることもある。〕、オキシブタン−１，２−ジイル基（一般的にブチレンオキシ基と呼ばれることもある。）がより好ましく、オキシプロパン−１，２−ジイル基が更に好ましい。
【００２０】
一般式（１）中のｐは、ＡＯの平均付加モル数であり、０．５以上、５以下の数である。洗浄速度が向上できる点から、ｐは、好ましくは０．８以上であり、より好ましくは１以上であり、より好ましくは１．１以上であり、より好ましくは１．２以上であり、より好ましくは１．３以上であり、より好ましくは１．４以上であり、更に好ましくは１．５以上であり、更に好ましくは１．６以上であり、更に好ましくは１．７以上であり、より更に好ましくは１．８以上である。皮脂汚れに対する洗浄力の点から、ｐは、５以下であり、好ましくは４以下であり、より好ましくは３以下である。
【００２１】
一般式（１）中のｑは、ＥＯの平均付加モル数であり、０以上、１０以下の数である。ｑが０でない場合、洗浄速度が向上できる点から、ｑは、好ましくは０．５以上であり、より好ましくは０．８以上であり、更に好ましくは１以上、更に好ましくは１．５以上、更に好ましくは１．８以上、より更に好ましくは２以上の数である。染み汚れや皮脂汚れに対する洗浄力の点から、１０以下であり、好ましくは８以下であり、より好ましくは５以下であり、更に好ましくは３以下の数である。また、ｑが０の陰イオン界面活性剤も製造の容易性の観点から好ましい。
【００２２】
一般式（１）の陰イオン界面活性剤は、洗浄速度が向上できる点から、ＡＯとＥＯとがブロックで結合していることが好ましい。その場合、ＲＯ−に、（ＡＯ）p−（ＥＯ）q−の順にブロック結合していることが好ましい。すなわち、一般式（１）の陰イオン界面活性剤としては、ＲＯ−（ＡＯ）p−（ＥＯ）q−ＳＯ3Ｍで表される化合物が好ましい。
【００２３】
また、一般式（１）中のＭは陽イオンである。Ｍの好ましい例は、水素イオン、アルカリ金属イオン、アルカリ土類金属イオン、アンモニウムイオン、及び炭素数１以上、６以下のアルカノールアンモニウムイオンが挙げられる。
【００２４】
アルカリ金属イオンとしては、ナトリウムイオン、カリウムイオン、リチウムイオンが挙げられ、アルカリ土類金属イオンとしては、マグネシウムイオンが挙げられ、炭素数１以上、６以下のアルカノールアンモニウムイオンとしては、モノエタノールアンモニウムイオン、トリエタノールアンモニウムイオンが挙げられる。これらの中では、洗浄力の点で、ナトリウムイオン、カリウムイオンのアルカリ金属イオン又はモノエタノールアンモニウムイオンが好ましく、モノエタノールアンモニウムイオンがより好ましい。
【００２５】
一般式（１）で表される陰イオン界面活性剤の製法は特に限定されない。例えば、炭素数８以上、２２の炭化水素基を有するアルコール、好ましくは炭素数１０〜１４の直鎖１級の脂肪族飽和アルコール１モルに、炭素数３のアルキレンオキサイド及び／又は炭素数４のアルキレンオキサイド、好ましくはプロピレンオキサイドを０．５モル以上、好ましくは０．８モル以上、より好ましくは１モル以上、更に好ましくは１．５モル以上、より更に好ましくは１．８モル以上、そして、５モル以下、好ましくは３モル以下の量で付加させた中間化合物（１）を得る。次に中間化合物（１）に対してエチレンオキサイドを０モル以上、好ましくは０．５モル以上、より好ましくは０．８モル以上、より好ましくは１モル以上、更に好ましくは１．５モル以上、より更に好ましくは１．８モル以上、そして、１０モル以下、好ましくは８モル以下、より好ましくは５モル以下、更に好ましくは３モル以下の量で付加させて中間化合物（２）を得る。次に中間化合物（２）を硫酸化し、場合によっては中和することで一般式（１）で表される陰イオン界面活性剤を得ることができる。また、前記の製造方法の例において、原料のアルコールに対して、前記アルキレンオキシド、好ましくはプロピレンオキシドと、エチレンオキシドを付加する順番を変えることや、ランダムに付加させることもできる。
【００２６】
＜（ｃ）成分＞
（ｃ）成分は下記一般式（２）で表される第４級アンモニウム塩である。
【００２７】
【化２】
2014141661.tif 000003
【００２８】
〔式中、Ｒ1は炭素数１０以上、１４以下の炭化水素基であり、Ｒ2は炭素数７以上、１４以下の炭化水素基、炭素数１以上、３以下の炭化水素基、及び−（Ａ1Ｏ）s−Ｈ（式中、Ａ1Ｏは、炭素数２のアルキレンオキシ基及び炭素数３のアルキレンオキシ基から選ばれるアルキレンオキシ基、ｓは１以上、５以下の数である。）から選ばれる基であり、Ｒ3、Ｒ4は、それぞれ独立に、炭素数１以上、３以下の炭化水素基及び−（Ａ1Ｏ）s−Ｈ（式中、Ａ1Ｏ、ｓは前記と同じ。）から選ばれる基である。分子内に複数存在する（Ａ1Ｏ）は同一又は異なっていても良い。Ｘ-はハロゲンイオン、ＣＨ3ＳＯ4-又はＣＨ3ＣＨ2ＳＯ4-である。〕
【００２９】
（ｃ）成分である特定の構造を有する第４級アンモニウム塩と、（ａ）成分であるアルキルベンゼンスルホン酸又はその塩と、（ｂ）成分である特定の構造を有する陰イオン界面活性剤とを併用することで、短時間の洗浄においても、両者の機能が阻害されず、各種汚れに対して更に高い洗浄力を得ることができる。
【００３０】
一般式（２）中、Ｒ1は炭素数１０以上、１４以下の炭化水素基であり、炭化水素基はアルキル基が好ましく、アルキル基は直鎖又は分岐鎖のアルキル基が挙げられる。Ｒ1は、炭素数１２の直鎖アルキル基が好ましい。
【００３１】
また、一般式（２）中、Ｒ2は炭素数７以上、１４以下の炭化水素基、炭素数１以上、３以下の炭化水素基、及び−（Ａ1Ｏ）s−Ｈ（式中、Ａ1Ｏは、炭素数２のアルキレンオキシ基及び炭素数３のアルキレンオキシ基から選ばれるアルキレンオキシ基、ｓは１以上、５以下の数である。）から選ばれる基である。Ｒ2の炭化水素基はアルキル基、ベンジル基が好ましく、食べこぼし汚れの洗浄性の点でアルキル基が好ましい。アルキル基は直鎖又は分岐鎖のアルキル基が挙げられる。アルキル基の場合、Ｒ2の炭素数は、１以上、３以下又は１０以上が好ましい。また、−（Ａ1Ｏ）s−Ｈであることも好ましい。
【００３２】
一般式（２）中、Ｒ3、Ｒ4は、それぞれ独立に、炭素数１以上、３以下の炭化水素基及び−（Ａ1Ｏ）s−Ｈ（式中、Ａ1Ｏ、ｓは前記と同じ。）から選ばれる基であり、炭素数１以上、３以下の炭化水素基、更に炭素数１以上、３以下のアルキル基が好ましく、メチル基、エチル基、プロピル基がより好ましい。
【００３３】
（ｃ）成分の陽イオン界面活性剤としては、下記（ｃ−１）〜（ｃ−４）が挙げられる。種々の汚れに対する洗浄力向上の観点から、（ｃ−１）、（ｃ−２）及び（ｃ−４）から選ばれる１種以上の化合物を使用することが好ましい。より好ましくは（ｃ−１）及び（ｃ−２）から選ばれる１種以上の化合物であり、食べこぼし汚れの洗浄性の点で、（ｃ）成分は（ｃ−１）の化合物が好ましい。
【００３４】
（ｃ−１）一般式（２）中のＲ1が炭素数１０以上、１４以下の直鎖アルキル基であり、Ｒ2、Ｒ3、Ｒ4がそれぞれ炭素数１以上、３以下のアルキル基であるアンモニウム塩。より具体的にはｎ−デシルトリメチル４級アンモニウムクロリド、ｎ−ラウリルトリメチル４級アンモニウムクロリド及びｎ−ミリスチルトリメチル４級アンモニウムクロリドから選ばれる１種以上の化合物が挙げられる。
（ｃ−２）Ｒ1の炭素数が１０以上、１４以下の分岐鎖アルキル基であり、Ｒ2、Ｒ3、Ｒ4がそれぞれ炭素数１以上、３以下のアルキル基であるアンモニウム塩。
（ｃ−３）Ｒ1の炭素数が１０以上、１４以下の直鎖アルキル基であり、Ｒ2がベンジル基であり、Ｒ3、Ｒ4がそれぞれ炭素数１以上、３以下のアルキル基であるアンモニウム塩。より具体的には、デシルジメチルベンジルアンモニウムクロリド、ラウリルジメチルベンジルアンモニウムクロリド及びミリスチルジメチルベンジルアンモニウムクロリドから選ばれる１種以上の化合物が挙げられる。
（ｃ−４）Ｒ1の炭素数が１０以上、１４以下の直鎖アルキル基であり、Ｒ2が−（Ａ1Ｏ）s−Ｈであり、Ｒ3、Ｒ4がそれぞれ炭素数１以上、３以下のアルキル基であるアンモニウム塩。
【００３５】
＜（ｄ）成分＞
（ｄ）成分は下記一般式（３）で表される非イオン界面活性剤である。
Ｒ5Ｏ−（ＥＯ）t−Ｈ        （３）
〔式中、Ｒ5は炭素数８以上、１８以下の炭化水素基を示し、ＥＯはエキレンオキシ基を示し、ｔは平均付加モル数を示し、１以上、１０以下の数である。〕
【００３６】
（ｄ）成分の一般式（３）中、Ｒ5は炭素数８以上、１８以下の炭化水素基であり、洗浄力の点から、炭素数１０以上、そして、１６以下、更に１４以下の炭化水素基が好ましい。Ｒ5の炭化水素基としては、洗浄力の点から、アルキル基、アルケニル基が好ましく、アルキル基がより好ましい。Ｒ5は、洗浄力や原料の入手性の点から、直鎖又は分岐鎖の炭化水素基が好ましく、直鎖の炭化水素基がより好ましい。一般式（３）において酸素原子に結合するＲ5の炭素原子は、第１級の炭素原子でもよく、第２級の炭素原子でもよい。
【００３７】
一般式（３）の化合物を得る方法は、特に限定されるものではないが、炭素数８以上、１８以下の炭化水素基を有するアルコールに、エチレンオキシドを付加反応することによって得ることができる。エチレンオキシドの平均付加モル数ｔは、１以上、１０以下である。染み汚れに対する洗浄力の点から、ｔは１以上であり、２以上、更に２．５以上、更に３以上が好ましい。また、洗浄速度が向上できる点で、１０以下であり、９以下、更に８以下が好ましい。
【００３８】
（ｄ）成分としては、皮脂汚れや染み汚れに対する洗浄力の観点から、一般式（３）中のＲ5が炭素数１０以上、１４以下の直鎖の１級又は２級のアルキル基であり、平均付加モル数であるｔが３以上、８以下の数である非イオン界面活性剤が好ましい。
【００３９】
＜水＞
本発明の衣料用液体洗浄剤組成物は、０℃〜４０℃における状態を液体状態とする為に、水を含有する。水は脱イオン水（イオン交換水とも言う場合もある）や次亜塩素酸ソーダをイオン交換水に対して１ｍｇ／ｋｇ以上、５ｍｇ／ｋｇ以下、添加した水を使用することが出来る。
【００４０】
＜衣料用液体洗浄剤組成物＞
本発明の衣料用液体洗浄剤組成物は、泥汚れなどの粒子汚れ、食べこぼし汚れなどの染み汚れ及び皮脂汚れに対する高い洗浄力を維持する点で、（ｃ）成分の含有量と、（ａ）成分の含有量と（ｂ）成分の含有量の合計量との質量比が、（ｃ）成分／〔（ａ）成分＋（ｂ）成分〕で、０．０２以上、０．２以下である。泥汚れ、食べこぼし汚れに対する洗浄力の点から、前記質量比は、０．０３以上がより好ましく、０．０４以上がより好ましく、０．０５以上がより好ましい。食べ残し汚れや皮脂汚れの洗浄力の点で、前記質量比は、０．１５以下が好ましく、０．１４以下がより好ましく、０．１３以下がより好ましく、０．１２以下がより好ましく、０．１以下がより好ましい。
本発明においては、（ｃ）成分と、（ａ）成分と（ｂ）成分とを併用することで、（ａ）成分と（ｂ）成分と（ｃ）成分の混合界面活性剤の皮脂汚れに対する浸透性が高まり、（ｃ）成分の含有量が（ａ）成分及び（ｂ）成分の合計に対して少なくても皮脂汚れの洗浄性が高まる。
【００４１】
なお、本発明の衣料用液体洗浄剤組成物において、（ａ）成分及び（ｂ）成分は、それぞれ、塩ではなく、酸型の化合物、すなわち対イオンを水素原子イオンと仮定した化合物の質量を（ａ）成分及び（ｂ）成分の質量として質量比や質量％を算出するものとする。
【００４２】
また、本発明の衣料用液体洗浄剤組成物は、洗浄速度と洗浄力の両立の点で、（ｂ）成分の含有量と（ａ）成分の含有量との質量比が、（ｂ）成分／（ａ）成分で、０．１５以上、１０以下である。洗浄速度の向上と食べ残し汚れに対する洗浄力の点で、前記質量比は、０．４以上がより好ましく、０．５以上がより好ましく、０．７以上がより好ましい。また、泥汚れに対する洗浄力の点で、前記質量比は、８以下が好ましく、６以下がより好ましく、５以下がより好ましく、３以下がより好ましく、２以下がより好ましい。
本発明では、（ｂ）成分の含有量と（ａ）成分の含有量との質量比が特定範囲であることで、（ａ）成分、（ｂ）成分及び（ｃ）成分の食べこぼし汚れに対する浸透性が高まり、食べこぼし汚れの洗浄性を高めることができる。
【００４３】
また、本発明の衣料用液体洗浄剤組成物は、泥汚れなどの粒子汚れ、食べこぼし汚れなどの染み汚れ及び皮脂汚れに対する高い洗浄力を維持する点で、（ｄ）成分の含有量と（ａ）成分の含有量と（ｂ）成分の含有量の合計量との質量比は、（ｄ）成分／〔（ａ）成分＋（ｂ）成分〕で、０．１以上、２以下であることが好ましい。泥汚れ、食べこぼし汚れに対する洗浄力の点から、０．２以上が好ましく、０．３以上がより好ましく、０．４以上がより更に好ましい。食べ残し汚れや皮脂汚れの洗浄力の点で、１．５以下がより好ましく、１．２以下がより好ましく、１．０以下がより好ましく、０．８以下がより好ましく、０．６以下がより好ましい。
【００４４】
本発明の衣料用液体洗浄剤組成物において、一定の使用量に対してより高い着香効果を得る点、及び当該組成物の１回当たりの使用量を少なくできる点から、（ａ）成分の含有量と（ｂ）成分の含有量と（ｃ）成分の含有量の合計量は、組成物中、２０質量％がより好ましく、２５質量％がより好ましく、３０質量％がより好ましい。また、衣料用液体洗浄剤組成物の使用量が少なすぎず適度な使用勝手で使用できる点で、（ａ）成分の含有量と（ｂ）成分と（ｃ）成分の含有量の合計は、組成物中、６０質量％以下が好ましく、５０質量％以下がより更に好ましく、４５質量％以下がより更に好ましい。
【００４５】
水の含有量は、全配合原料の合計含有量を１００質量％としたときの、前記（ａ）成分、（ｂ）成分、（ｃ）成分、（ｄ）成分、及び後述の任意成分の合計含有量を除く残部であるが、本発明の組成物を洗浄に使用する水に添加した際に速やかに分散することで、洗浄速度が向上できる。その観点から本発明の組成物において、水の含有量は、組成物中、５質量％以上が好ましく、８質量％以上がより好ましい。
【００４６】
また、本発明の衣料用液体洗浄剤組成物は、洗浄速度が向上できる点で、（ｅ１）成分として、分子内に水酸基を１つ以上有する有機溶剤を含有することが好ましい。有機溶剤は、洗浄速度が向上できる点で、分子内に水酸基及びエーテル基を有する有機溶剤が好ましい。
【００４７】
分子内に水酸基を１つ以上有する有機溶剤としては、以下の（ｅ１−１）成分〜（ｅ１−３）成分から選ばれる１種以上の化合物が挙げられる。
（ｅ１−１）成分：炭素数２以上、６以下の２価以上、６価以下のアルコール〔（ｅ１−３）成分を除く〕
例えばエチレングリコール、プロピレングリコール、ブチレングリコール、ヘキシレングリコール及びグリセリンから選ばれる２価又は３価のアルコールが挙げられる。
（ｅ１−２）成分：炭素数２以上、４以下のアルキレングリコール単位を含有するポリアルキレングリコール
例えばジエチレングリコール、トリエチレングリコール、テトラエチレングリコール、ジプロピレングリコール及びトリプロピレングリコールから選ばれるポリアルキレングリコールが挙げられる。
（ｅ１−３）成分：炭素数２以上、４以下のアルキレングリコール単位と、炭素数１以上、４以下のアルキル基とを有する、（モノ又はポリ）アルキレングリコールのモノアルキルエーテル
例えばジエチレングリコールモノメチルエーテル、トリエチレングリコールモノメチルエーテル、ジエチレングリコールモノエチルエーテル、ジプロピレングリコールモノメチルエーテル、ジプロピレングリコールモノエチルエーテル、トリプロピレングリコールモノメチルエーテル、ジエチレングリコールモノブチルエーテル、１−メトキシ−２−プロパノール及び１−エトキシ−２−プロパノールから選ばれる化合物が挙げられる。
【００４８】
前記（ｅ１−３）成分において「（モノ又はポリ）アルキレングリコール」なる用語は、モノアルキレングリコール又はポリアルキレングリコールを意味する。また、「ポリアルキレングリコール」とは、アルキレングリコール単位が１分子内に９個以下の量で含有することを意味する。
【００４９】
（ｅ１）成分は、プロピレングリコール及びジエチレングリコールモノブチルエーテルから選ばれる有機溶剤、更にジエチレングリコールモノブチルエーテルが好ましい。
【００５０】
（ｅ１）成分の含有量は、洗浄速度が向上できる点から、組成物中、５質量％以上が好ましく、１０質量％以上がより好ましく、１３質量％以上が更に好ましい。経済性や保存安定性の点から、（ｅ１）成分の含有量は、組成物中、４０質量％以下が好ましく、３５質量％以下がより好ましく、２５質量％以下が更に好ましい。
【００５１】
本発明の衣料用液体洗浄剤組成物は、アルカリ剤〔以下、（ｅ２）成分という〕を含有することが洗浄力の点から好ましい。アルカリ剤は、アルカリ金属水酸化物、アルカリ金属炭酸塩などの他に、窒素原子に結合する基のうち、１つ以上、３つ以下が炭素数２以上、４以下のアルカノール基であり、残りが炭素数１以上、４以下のアルキル基又は水素原子であるアルカノールアミンを挙げることができる。このうちアルカノール基はヒドロキシアルキル基、更にヒドロキシエチル基であるものが好ましい。アルカノール基以外は水素原子、又はメチル基が好ましく、水素原子がより好ましい。アルカノールアミンとしては、２−アミノエタノール、Ｎ−メチルエタノールアミン、Ｎ，Ｎ−ジメチルエタノールアミン、Ｎ，Ｎ−ジエチルエタノールアミン、ジエタノールアミン、Ｎ−メチルジエタノールアミン、トリエタノールアミン等のアルカノールアミン類が挙げられる。本発明では、（ｅ２）成分として、モノエタノールアミン及びトリエタノールアミンから選ばれるアルカノールアミンが好ましく、モノエタノールアミンがより好ましい。
【００５２】
本発明の衣料用液体洗浄剤組成物は、（ｅ２）成分を、組成物中、０．０１質量％以上、更に０．５質量％以上、そして、１０質量％以下、更に８質量％以下含有することが好ましい。なかでも、（ｅ２）成分としてアルカノールアミンを、０．５質量％以上、更に１質量％以上、更に３質量％以上、そして、８質量％以下、更に７質量％以下、更に６質量％以下含有することが好ましい。なお、本発明では、（ｅ２）成分のアルカリ剤、中でもアルカノールアミンの含有量には、（ａ）成分や（ｂ）成分の対イオンなど、他の成分に由来して組成物中に取り込まれる分も算入するものとする。
【００５３】
本発明の衣料用液体洗浄剤組成物の２０℃のｐＨは、洗浄力の点で、６以上、更に６．５以上、更に７以上が好ましく、そして、１１以下、更に９以下、更に８以下が好ましい。ｐＨは、ＪＩＳ Ｋ３３６２：１９９８の項目８．３に記載の方法で測定し、その際温度は記載の２０℃で測定する。
【００５４】
本発明の衣料用液体洗浄剤組成物は、洗浄時間が１分以上、７分以下の洗浄方法に用いることができる。本発明の衣料用液体洗浄剤組成物は、例えば１０分という通常の適度な洗浄時間で十分な洗浄力が得られることに加えて、洗浄時間が１分以上、７分以下の短い洗浄時間でも、１０分の洗浄時間で得られる洗浄力とほぼ同等の洗浄力を発現する。そのため、本発明の衣料用液体洗浄剤組成物を洗浄時間が１分以上、７分以下の洗浄方法に用いることは、作業者に洗浄時間の短縮しても洗浄力が維持されることをより顕著に実感させるものとなる。
【００５５】
〔衣料の洗浄方法〕
本発明は、水と、本発明の衣料用液体洗浄剤組成物０．０１質量％以上、０．２質量％以下とを含有する、温度が０℃以上、３５℃以下の洗浄液で、衣料の質量と前記洗浄液の量（リットル）の比で表される浴比が、洗浄液の量（リットル）／衣料の質量（ｋｇ）＝３以上、５０以下の条件で、衣料を１分間以上、７分間以下洗浄する、衣料の洗浄方法を提供する。
【００５６】
洗浄液は、本発明の衣料用液体洗浄剤組成物を０．０１質量％以上、更に０．０２質量％以上、そして、０．２質量％以下、更に０．１質量％以下を含有することが好ましい。また、洗浄液は（ａ）成分の含有量と（ｂ）成分の含有量と（ｃ）成分の含有量の合計で０．００６質量％以上、更に０．０１質量％以上、そして、０．０８質量％以下、更に０．０７質量％以下を含有することが好ましい。
【００５７】
洗浄液を調製する水としては、如何なる水でも良い。例えば、水道水、イオン交換水、井戸水、河川水等が挙げられる。また、洗浄に適した水の硬度としては、ドイツ硬度で１°ＤＨ以上、１０°ＤＨ以下が挙げられる。
【００５８】
洗浄液の温度は、洗浄速度の向上の点で０℃以上が好ましく、３℃以上がより好ましく、５℃以上が更に好ましい。衣料を構成する繊維自身に含まれる油剤を落としすぎず、繊維の風合いを維持する点で、３５℃以下が好ましく、３０℃以下がより好ましい。
【００５９】
近年、洗濯機が大型化し、洗浄液の水量（リットル）と衣料の質量（ｋｇ）との比で表される浴比の値、すなわち洗浄液の水量（リットル）／衣料の質量（ｋｇ）（以下、この比を浴比とする場合もある）の値が小さくなる傾向にある。浴比が小さくなると、家庭用洗濯機を用いた場合には、攪拌による機械力が衣料に伝わりにくくなり、洗浄力が低下すると言われている。本発明の衣料の洗浄方法は、浴比が小さい洗浄条件下でも、洗浄速度が向上できる。洗浄力の点で、浴比は、４以上、更に５以上が好ましい。また、洗浄速度の向上の効果をより得られる点で、浴比は、４５以下、更に４０以下、更に３０以下、更に２０以下が好ましい。
【００６０】
「洗浄速度の向上の効果がより得られる」とは、下記の実施例で示す「洗浄速度の評価」に記載の「５分／１０分洗浄相対値（洗浄速度）」の値が、より１に近いことを意味する。
【００６１】
本発明の衣料の洗浄方法は、洗浄時間が短くても十分な洗浄力を得られる。洗浄力の点で洗浄時間は１分以上であり、２分以上が好ましく、３分以上がより好ましい。洗浄速度の向上の効果がより得られる点で、７分以下であり、５分以下が好ましい。
【００６２】
本発明の衣料の洗浄方法は、繊維の精練方法のように、ローラー等で繊維を送りながら、精錬に使用する液に浸漬する方法よりも、消費者の用途に合わせて繊維を構成した衣料の様に、均一に機械力がかからないような対象物に対して、本発明の効果が得られる。また、回転式洗浄方法において本発明の洗浄方法は適している。回転式洗浄方法とは、回転機器に固定されていない衣料が洗浄液と共に、回転軸の周りに回転する洗浄方法を意味する。回転式洗浄方法は回転式洗濯機により実施できる。従って、本発明では、衣料の洗浄を、回転式洗濯機を用いて行うことが好ましい。
【実施例】
【００６３】
＜衣料用液体洗浄剤組成物＞
３００ｍｌのガラス製ビーカーに、直径６０ｍｍのスターラーピース（テフロン（登録商標）製）を入れ、出来上がり質量が２００ｇ、且つ表１に記載の含有量になるように（ａ）成分、（ｂ）成分又は（ｂ’）成分、（ｃ）成分及び必要量の９５質量％の水を投入した。投入後、１００回転／分の回転数で２０分攪拌した。その後、（ｄ）成分、（ｅ１）成分を投入し、（ｅ２）成分で組成物のｐＨを表１に記載のｐＨに調整し、残分の水を用いて最終出来上がり質量（２００ｇ）になるように調整し、表１の配合例の衣料用液体洗浄剤組成物を得た。ｐＨは、ＪＩＳ Ｋ３３６２：１９９８の項目８．３に記載の方法で測定した（測定時の組成物の温度は２０℃）。なお、組成物の調製に用いた成分は以下のものである。
【００６４】
（ａ）成分
（ａ−１）：炭素数１０〜１４の直鎖アルキル基（平均炭素数１２）を有するアルキルベンゼンスルホン酸（尚、（ａ−１）成分は表１記載のｐＨが８．０の液体洗浄剤組成物中では酸塩の状態で含有している。）
【００６５】
（ｂ）成分
（ｂ−１）：一般式（１）において、Ｒが炭素数１２、１４の直鎖１級アルキル基、ＡＯがプロピレンオキシ基、ｐが２．０、ｑが０、Ｍがモノエタノールアンモニウムの化合物（表中の濃度は酸型の濃度とし、対塩のモノエタノールアンモニウム塩は、モノエタノールアミンの濃度に換算し、（ｅ２）成分に含めた）。
（ｂ−２）：一般式（１）において、Ｒが炭素数１２、１４の直鎖１級アルキル基、ＡＯがプロピレンオキシ基、ｐが２．０、ｑが２．０、Ｍがモノエタノールアンモニウムの化合物であり、ＡＯとＥＯは、ＲＯ−（ＡＯ）2.0−（ＥＯ）2.0−の順でブロック結合している（表中の濃度は酸型の濃度とし、対塩のモノエタノールアンモニウム塩は、モノエタノールアミンの濃度に換算し、（ｅ２）成分に含めた）。
【００６６】
（ｂ’）成分（（ｂ）成分の比較化合物）
（ｂ’−１）：一般式（１）において、Ｒが炭素数１２、１４の直鎖１級アルキル基であり、ｐが０、ｑが２．０、Ｍがモノエタノールアンモニウムの化合物（表中の濃度は酸型の濃度とし、対塩のモノエタノールアンモニウム塩は、モノエタノールアミンの濃度に換算し、（ｅ２）成分に含めた）。
【００６７】
（ｃ）成分
（ｃ−１）：Ｎ−ラウリル−Ｎ，Ｎ，Ｎ−トリメチルアンモニウムクロライド〔一般式（２）中、Ｒ1が炭素数１２の直鎖アルキル基、Ｒ2、Ｒ3、Ｒ4がそれぞれメチル基、Ｘ-がＣｌ-である化合物〕
（ｃ−２）：Ｎ−ラウリル−Ｎ−（２−ヒドロキシエチル）−Ｎ，Ｎ−ジメチルアンモニウムクロリド〔一般式（２）中、Ｒ1が炭素数１２の直鎖アルキル基、Ｒ2が−（Ａ1Ｏ）s−Ｈ（ＡＯはエチレンオキシ基、ｓは１）、Ｒ3、Ｒ4がそれぞれメチル基、Ｘ-がＣｌ-である化合物〕
【００６８】
（ｄ）成分
（ｄ−１）：炭素数１２〜１４の２級アルコールにエチレンオキサイドを平均７モル付加させた化合物〔ソフタノール７０（商品名）、株式会社日本触媒製〕
（ｄ−２）：炭素数１２の１級アルコールにエチレンオキサイドを平均４モル付加させた化合物
（ｄ−３）：炭素数１２の１級アルコールにエチレンオキサイドを平均６モル付加させた化合物
【００６９】
（ｅ１）成分
（ｅ１−１−１）：プロピレングリコール
（ｅ１−３−１）：ジエチレングリコールモノブチルエーテル
【００７０】
（ｅ２）成分
（ｅ２−１）：モノエタノールアミン
【００７１】
水：次亜塩素酸塩ナトリウムを３ｍｇ／ｋｇの量で含むイオン交換水
【００７２】
【表１】
2014141661.tif 000004
【００７３】
＜評価＞
表１の衣料用液体洗浄剤組成物を以下の評価に供することで、各種汚れに対する洗浄力や、洗浄時間を短くした場合の洗浄力を評価することができる。表１に各評価を行った結果を示した。なお、表中では、便宜的に（ｂ’）成分を（ｂ）成分とみなして各質量比を示した。
【００７４】
（１）洗浄力評価
＜評価用の汚染布の調製＞
・皮脂汚れ汚染布（モデル皮脂人工汚染布）の調製
下記組成のモデル皮脂人工汚染液を布に付着してモデル皮脂人工汚染布を調製する。モデル皮脂人工汚染液の布への付着は、グラビアロールコーターを用いて人工汚染液を布に印刷することで行う。モデル皮脂人工汚染液を布に付着させモデル皮脂人工汚染液を作製する工程は、グラビアロールのセル容量５８ｃｍ3／ｍ2、塗布速度１．０ｍ／ｍｉｎ、乾燥温度１００℃、乾燥時間１ｍｉｎで行う。布は木綿２００３（谷頭商店製）を使用する。
【００７５】
＊モデル皮脂人工汚染液の組成：ラウリン酸０．４質量％、ミリスチン酸３．１質量％、ペンタデカン酸２．３質量％、パルミチン酸６．２質量％、ヘプタデカン酸０．４質量％、ステアリン酸１．６質量％、オレイン酸７．８質量％、トリオレイン１３．０質量％、パルミチン酸ｎ-ヘキサデシル２．２質量％、スクアレン６．５質量％、卵白レシチン液晶物１．９質量％、鹿沼赤土８．１質量％、カーボンブラック０．０１質量％、水残部（合計１００質量％）
【００７６】
・食べこぼし汚れ（ミートソース汚染布）の調製
市販のレトルトミートソース（ママー製）を木綿メリヤス布（谷頭商店製）に０．１５ｇ塗布し、均一に塗り広げて２５℃、４３％ＲＨの環境下で１２時間乾燥させたものを試験に供する。
【００７７】
・人工泥汚れ汚染布の調製
鹿沼園芸用赤玉土を１２０℃±５℃で４時間乾燥後、粉砕し、１５０メッシュ（１００μｍ）パスのものを１２０℃±５℃で２時間乾燥後、±１５０ｇを１０００Ｌのパークレン中に分散して分散液を得る。得られた分散液に金巾＃２０２３布（木綿布、１０ｃｍ×１０ｃｍ）を接触させた後、ブラッシングし、分散液を除去した後、布表面に過剰に付着した泥を取り除いて泥汚れ評価用の汚染布を得る。
【００７８】
＜洗浄試験＞
・皮脂洗浄力の評価
（１）洗浄速度の評価
上記で作製したモデル皮脂人工汚染布（６ｃｍ×６ｃｍ）５枚を、ターゴトメーター（Ueshima, MS-8212）にて、８５ｒｐｍで５分間又は１０分間洗浄する。洗浄の際の攪拌は、ターゴトメーター用の３枚羽根付き攪拌棒（底部直径６．８ｃｍ、羽根の最大長さは攪拌棒から半径方向で４．０ｃｍ）により行った。洗浄条件は、何れも液体洗浄剤組成物濃度０．０３３質量％、水温は２０℃であり、浴比は２０（木綿２００３（谷頭商店製）を６ｃｍ×６ｃｍに裁断した布で調整）であり、洗浄後、水道水（２０℃）で３分間濯ぐ。洗浄率を上記（１）の方法にて測定し、５枚の平均値を求める。洗浄時間５分、１０分の各洗浄率（平均値）により、次式によって５分／１０分洗浄相対値を求める。
５分／１０分洗浄相対値（洗浄速度）＝洗浄時間５分における洗浄率（％）／洗浄時間１０分における洗浄率（％）
「５分／１０分洗浄相対値（洗浄速度）」の値が、より１に近い方が好ましい。
【００７９】
（２）前記の「洗浄速度の評価」において、洗浄時間５分、１０分の洗浄率（平均値）を、比較配合例１と比較することで、実施例又は比較例の皮脂の洗浄力を評価できる。比較配合例１よりも洗浄率（平均値）が高い方が好ましい。
【００８０】
・食べこぼし汚れ（ミートソース汚染布）の洗浄試験
評価用液体洗浄剤組成物を、上記で作製したミートソース汚染布（６ｃｍ×６ｃｍ）５枚に、それぞれ６７μＬ直接塗り、その状態で５分間静置したのち、１Ｌの水道水に入れてターゴトメーター（Ueshima, MS-8212、攪拌部材は前記と同じ）にて８５ｒｐｍで洗浄する。洗浄条件は洗浄時間１０分、洗浄時洗剤組成物濃度０．０３３質量％、水温は２０℃であり、洗浄後、水道水（２０℃）で３分間濯ぐ。
汚染前の原布、及び洗浄前後の５５０ｎｍにおける反射率を測色色差計（日本電色株式会社製 Ｚ−３００Ａ）にて測定し、次式によって洗浄率（％）を求める（５枚の洗浄率の平均値を求める）。
洗浄率（％）＝１００×［（洗浄後の反射率−洗浄前の反射率）／（原布の反射率−洗浄前の反射率）］
【００８１】
比較配合例１の組成物の洗浄率（％）を基準として、次式によって相対洗浄値を求める。
相対洗浄値＝〔対比する実施例又は比較例の洗浄率（％）〕−〔比較配合例１（基準組成物）の洗浄率（％）〕
相対洗浄値の値が高い程、洗浄力が高いことを示す。相対洗浄値の差が３以上あれば有意な差が認められる。
【００８２】
・泥汚れ汚染布の洗浄力試験
洗浄剤水溶液１Ｌに、上記で作製した人工泥汚れ汚染布（人工汚染布）を５枚入れ、かき混ぜ式洗浄力試験機（ターゴトメーター、株式会社上島製作所製、攪拌部材は前記と同じ）を用いて、以下の条件で洗浄する。
・洗浄条件
回転数：１００ｒｐｍ、洗浄時間：１０分、液体洗浄剤組成物の濃度：０．１３３質量％、水の硬度：４°ＤＨ、水温：２０℃、濯ぎ：水道水にて５分間
洗浄力は汚染前の原布及び洗浄前後の汚染布の反射率を自記色彩計（株式会社島津製作所製）にて測定し、下記式により、洗浄率（％）（汚染布５枚の測定平均）を算出する。洗浄率（％）＝［（洗浄後の反射率−洗浄前の反射率）／（原布の反射率−洗浄前の反射率）］×１００
【００８３】
比較配合例１の組成物の洗浄率（％）を基準として、次式によって相対洗浄値を求める。
相対洗浄値＝〔対比する実施例又は比較例の洗浄率（％）〕−〔比較配合例１（基準組成物）の洗浄率（％）〕
相対洗浄値の値が高い程、洗浄力が高いことを示す。相対洗浄値の差が３以上あれば有意な差が認められる。